(57)【要約】【課題】一次圧力を大気開放弁まで導入する検圧管およびその取り付け作業を不要とした逆流防止装置を提供することようにすること。【解決手段】電磁弁８を定差圧弁８ａとパイロット弁８ｂとで構成して通水時に定差圧弁８ａが一定の差圧を生じさせるようにする。大気開放弁１２は、一次圧力Ｐ１を流量センサ７の上流側から取り、二次圧力Ｐ２を逆止弁９の下流側から取って、定差圧弁８ａで生じた差圧をダイヤフラム１２ａが感知し、弁体１２ｂを着座させて大気開放口を閉塞させる。断水などにより給水管１の水圧が下がると、ダイヤフラム１２ａの両面の圧力関係が逆になるので、逆止弁９の下流側を大気開放する。このとき、逆止弁１０の逆止機能が不良になっていると、浴槽１１から汚水が逆流することがあるが、逆止弁１０を通過してきた汚水は大気に開放されるので、給湯管６まで逆流することはない。【選択図】        図１
2004190869.tif 000002
【特許請求の範囲】
【請求項１】
浴槽から上水道への汚水の逆流を防止する逆流防止装置において、
給湯装置から前記浴槽へ温水が供給される通路を開閉する電磁弁と、
前記電磁弁から前記浴槽への温水の流れを許容するが前記浴槽から前記電磁弁への逆流は防止するように流れに対して直列に配置された第１および第２の逆止弁と、
前記給湯装置の給水源側の圧力が低下したときに前記浴槽側に配置された前記第２の逆止弁が逆止機能不全になっていた場合、前記浴槽から逆流してきた汚水を大気に放出する大気開放弁と、
前記電磁弁と前記第１の逆止弁との間を流れる水に対して圧力損失を生じさせることにより生成した差圧で前記大気開放弁を閉塞状態に維持する差圧生成手段と、
を備えていることを特徴とする逆流防止装置。
【請求項２】
前記差圧生成手段は、前記電磁弁の弁体を弁閉方向に付勢することによって前記電磁弁に定差圧弁の機能を持たせるスプリングであることを特徴とする請求項１記載の逆流防止装置。
【請求項３】
前記電磁弁の上流側に配置されて温水の流量を測定する流量センサを備え、前記大気開放弁は、前記流量センサの上流側または下流側から一次圧力を導入し、前記第１の逆止弁の上流側または下流側から二次圧力を導入して前記一次圧力と前記二次圧力との差圧で大気開放用の弁体を開閉駆動するようにしたことを特徴とする請求項２記載の逆流防止装置。
【請求項４】
前記電磁弁の上流側に配置されて温水の流量を測定する流量センサを備え、前記大気開放弁は、前記流量センサの上流側または下流側から一次圧力を導入し、前記第２の逆止弁の下流側から二次圧力を導入して前記一次圧力と前記二次圧力との差圧で大気開放用の弁体を開閉駆動し、大気開放時は前記第１の逆止弁の上流側または下流側の水を大気に放出するようにしたことを特徴とする請求項２記載の逆流防止装置。
【請求項５】
前記流量センサ、前記電磁弁、前記第１および第２の逆止弁および前記大気開放弁を一体化したことを特徴とする請求項３または４記載の逆流防止装置。
【請求項６】
前記差圧生成手段は、前記第１の逆止弁の弁体を弁閉方向に付勢するばね荷重の大きなスプリングであり、前記スプリングにより前記第１の逆止弁に定差圧弁の機能を持たせるようにしたことを特徴とする請求項１記載の逆流防止装置。
【請求項７】
前記電磁弁の上流側に配置されて温水の流量を測定する流量センサを備え、前記大気開放弁は、前記流量センサの上流側または下流側から一次圧力を導入し、前記第１の逆止弁の下流側から二次圧力を導入して前記一次圧力と前記二次圧力との差圧で大気開放用の弁体を開閉駆動するようにしたことを特徴とする請求項６記載の逆流防止装置。
【請求項８】
前記流量センサ、前記電磁弁、前記第１および第２の逆止弁および前記大気開放弁を一体化したことを特徴とする請求項７記載の逆流防止装置。
【発明の詳細な説明】
【０００１】
【発明の属する技術分野】
本発明は逆流防止装置に関し、特に給湯装置からの温水を浴槽に導く配管の途中に設けられて浴槽の汚水が上水道へ逆流してしまうのを防止する逆流防止装置に関する。
【０００２】
【従来の技術】
風呂給湯システムでは、給湯装置から給湯用の蛇口に接続されている給湯管を分岐して、浴槽に供給されるよう配管されている。その配管の途中には、一般に、浴槽への湯量を検出する流量センサと、浴槽への温水供給を制御する電磁弁と、浴槽から逆流してきた汚水を大気に放出する大気開放弁と、浴槽からの汚水の逆流を阻止する逆止弁とが配置されている。
【０００３】
高層の集合住宅はもちろん、戸建ての住宅においても、浴槽が給湯装置よりも高い位置に設置される場合が多くなってきている。このため、断水により、あるいは停電による給水加圧ポンプの停止により、給水側の水圧が低下して負圧になったときに、その負圧が浴槽への配管内の水を吸引しようとするが、そのときに、たとえば弁部に異物が挟まるなどして逆止弁が正常に機能しなくなっていた場合に、高い位置に設置されている浴槽からその故障した逆止弁を介して逆流して来た浴槽内の汚水をも吸引してしまうことになる。このような場合に備えて、逆止弁を介して逆流してきた浴槽の汚水が電磁弁および流量センサを介して給湯用の配管まで吸い込まれることなく、電磁弁およびフローセンサの手前でトラップして大気に流してやる大気開放弁が設けられている。
【０００４】
このような大気開放弁としては、ダイヤフラムからなる受圧部の一方の面に給水源側の一次圧力を受け、他方の面に浴槽側の二次圧力を受けて、一次圧力が低下した場合に受圧部が弁体を駆動して弁開し、二次側の汚水を大気に逃がす構成を有している（たとえば、特許文献１参照。）。
【０００５】
【特許文献１】
特開２０００−３０４１４４号公報（段落番号〔００１７〕〜〔００１８〕，図１）
【０００６】
【発明が解決しようとする課題】
しかしながら、従来の大気開放弁は、給水圧力が高い通常時は弁閉し、給水圧力が低くなったときに確実に弁開するようにするため、一次圧力は給水源側の圧力を感知するようにしており、したがって給水源側の圧力を受圧部まで導入する検圧管が必須になっていて、その部品および取り付けのためのコストが高くなっているという問題点があった。
【０００７】
本発明はこのような点に鑑みてなされたものであり、一次圧力を大気開放弁まで導入する検圧管およびその取り付け作業を不要とした逆流防止装置を提供することを目的とする。
【０００８】
【課題を解決するための手段】
本発明では上記問題を解決するために、浴槽から上水道への汚水の逆流を防止する逆流防止装置において、給湯装置から前記浴槽へ温水が供給される通路を開閉する電磁弁と、前記電磁弁から前記浴槽への温水の流れを許容するが前記浴槽から前記電磁弁への逆流は防止するように流れに対して直列に配置された第１および第２の逆止弁と、前記給湯装置の給水源側の圧力が低下したときに前記浴槽側に配置された前記第２の逆止弁が逆止機能不全になっていた場合、前記浴槽から逆流してきた汚水を大気に放出する大気開放弁と、前記電磁弁と前記第１の逆止弁との間を流れる水に対して圧力損失を生じさせることにより生成した差圧で前記大気開放弁を閉塞状態に維持する差圧生成手段と、を備えていることを特徴とする逆流防止装置が提供される。
【０００９】
このような逆流防止装置によれば、大気開放弁を制御するための差圧生成手段を内蔵したことにより、大気開放弁を制御するのに必要な一次圧力を給水源から取ってくる必要がなくなり、検圧管およびその取り付け作業を不要にした。また、検圧管が不要なため、電磁弁、第１および第２の逆止弁および大気開放弁を、給湯装置の制御に必要な流量センサも含めて一体化することができる。
【００１０】
【発明の実施の形態】
以下、本発明の実施の形態を、風呂給湯システムに適用した場合を例に図面を参照して詳細に説明する。
【００１１】
図１は第１の実施の形態に係る逆流防止装置を適用した風呂給湯システムの構成例を示すシステム図である。
風呂給湯システムにおいて、上水道の給水管１は、流量センサ２を介して熱交換器３および水バイパス弁４の上流側に接続されており、熱交換器３および水バイパス弁４の下流側は合流した後、水比例弁５に接続されて、給湯装置を構成している。水比例弁５の下流側は、たとえば台所の蛇口などへ出湯する給湯管６に接続されている。
【００１２】
また、水比例弁５の下流側は、分岐されていて、流量センサ７、電磁弁８、逆止弁９，１０を介して風呂の浴槽１１に配管されており、大気開放弁１２が一次圧力Ｐ１を流量センサ７の上流側から導入し、二次圧力Ｐ２を逆止弁９と逆止弁１０との間から導入するよう構成されている。ここで、給湯管６と浴槽１１との間に配置された、流量センサ７、電磁弁８、逆止弁９，１０および大気開放弁１２が逆流防止装置を構成している。
【００１３】
電磁弁８は、弁開して水が流れるときに入口側の圧力と出口側の圧力との差圧を一定に保持する定差圧弁８ａと、この定差圧弁８ａを開閉制御するパイロット弁８ｂとから構成されている。これにより、電磁弁８の定差圧弁８ａは、これを通過する水に対して所定の圧力損失を生じさせる差圧生成機能を有し、上流側の一次圧力Ｐ１に対して下流側に差圧分だけ低い二次圧力Ｐ２を生じさせることになる。
【００１４】
大気開放弁１２は、ダイヤフラム１２ａによって仕切られた２つの部屋を有し、図の上側の部屋には、流量センサ７の上流側の配管に連通され、図の下側の部屋には、逆止弁９の下流側の配管に連通されている。この下側の部屋は、また、大気に連通する大気開放口と、ダイヤフラム１２ａの変位に連動してその大気開放口を開閉する弁体１２ｂとを有している。
【００１５】
このように構成された風呂給湯システムにおいて、給水管１から給水された上水は、流量センサ２を通り、一部が熱交換器３にて加熱されて湯になり、一部は水バイパス弁４を通って熱交換器３から出てきた湯と混合される。このとき、水バイパス弁４により熱交換器３をバイパスする流量を制御することにより、湯水の混合比が変えられて出湯温度が制御される。所望の温度に制御された湯は、さらに、水比例弁５により出湯流量が制御されて給湯管６より給湯される。
【００１６】
また、浴槽１１に湯張りを行う時には、電磁弁８を開けることにより、水比例弁５を出た湯が流量センサ７、電磁弁８、および逆止弁９，１０を介して風呂の浴槽１１へ供給される。このとき、大気開放弁１２には、上の部屋に一次圧力Ｐ１が導入され、下の部屋には電磁弁８の定差圧弁８ａによって減圧された二次圧力Ｐ２が導入されているので、ダイヤフラム１２ａは、弁体１２ｂを弁閉方向に付勢して大気開放口を閉塞している。
【００１７】
断水などが発生して給水管１内が負圧になったときには、一次圧力Ｐ１が二次圧力Ｐ２よりも低くなるので、大気開放弁１２は、ダイヤフラム１２ａが図の上方へ変位することにより、弁体１２ｂを弁開方向に駆動する。これにより、下側の部屋は、大気に開放されて、二次圧力Ｐ２が大気圧Ｐ０と等しくなり、逆流防止装置内にある水が大気開放弁１２を介して大気に放出される。
【００１８】
もし、浴槽１１が高所にあり、逆止弁１０が異物の噛み込みなどにより逆流を防止できない状態に陥っていた場合には、浴槽１１内の汚水がその水頭圧により逆止弁１０を介して逆流してくるが、その汚水は大気開放弁１２により大気に放出されるため、浴槽１１内の汚水が給湯管６の方まで逆流することはない。
【００１９】
以上のように、本発明による逆流防止装置では、大気開放弁１２を開閉駆動するための駆動力は、電磁弁８の定差圧弁８ａによって逆流防止装置の内部で生み出しているので、給水源側の圧力を大気開放弁１２まで導くための外部配管用の検圧管が不要な構成になっている。このため、逆流防止装置は、これを構成する要素、すなわち、流量センサ７、電磁弁８、逆止弁９，１０および大気開放弁１２を一体化することが可能になる。次に、この逆流防止装置の具体的な構成例について説明する。
【００２０】
図２は第１の実施の形態に係る逆流防止装置の構成例を示す中央縦断面図である。この図２において、図１に示した構成要素と同じまたは同等の構成要素については同じ符号を付してある。
【００２１】
この逆流防止装置は、流量センサ７、電磁弁８、逆止弁９，１０および大気開放弁１２を一体化して構成されている。
流量センサ７は、給湯管６に接続される接続部１３と電磁弁８との間に配置されている。この流量センサ７は、着磁された複数枚の羽根を有する羽根車７ａと、この羽根車７ａに近接してボディ内に埋設された感磁センサ７ｂと、上流側に配置されて通過する水に渦流を生起させる整流器７ｃとを有している。
【００２２】
電磁弁８は、ボディと一体に形成された筒状の弁座８１とダイヤフラム８２によって支持された弁体８３とダイヤフラム８２を弁閉方向に付勢するスプリング８４とを含む定差圧弁８ａと、ダイヤフラム８２によって仕切られた圧力室と定差圧弁８ａの下流側の通路との間を連通または閉塞する電磁作動のパイロット弁８ｂとからなっている。
【００２３】
逆止弁９，１０は、定差圧弁８ａの下流側の通路に直列に配置されている。逆止弁９，１０は、それぞれ、弁体とこの弁体を弁閉方向に付勢するスプリングとから構成され、各スプリングのばね力は、非常に弱いものが使用されている。
【００２４】
大気開放弁１２は、ダイヤフラム１２ａによって仕切られた図の上側の部屋は、ボディに穿設された検圧通路１２ｃを介して流量センサ７の上流側の通路に連通され、図の下側の部屋は、逆止弁９と逆止弁１０との間の通路と大気開放口とに連通されており、弁体１２ｂがダイヤフラム１２ａの変位に連動して大気開放口を開閉する。
【００２５】
このような逆流防止装置において、浴槽１１に湯張りを行っていないとき、パイロット弁８ｂは、通電されておらず閉じた状態にある。これにより、定差圧弁８ａの弁体８３の圧力室には、その弁体８３に穿設されたオリフィス８５を介して上流側の圧力が導入され、上流側の通路と圧力室とに圧力差がなくなることで、弁体８３はスプリング８４によって弁座８１に着座され、浴槽１１への通路が閉塞される。このとき、大気開放弁１２は、ダイヤフラム１２ａの図の上部の部屋に検圧通路１２ｃを介して一次圧力Ｐ１が導入されているため、ダイヤフラム１２ａは弁体１２ｂを弁閉の方向に付勢し、大気開放口を閉じている。
【００２６】
次に、電磁弁８が通電されると、パイロット弁８ｂが開き、定差圧弁８ａの圧力室にある水がパイロット弁８ｂを介して定差圧弁８ａの下流側に流出することで圧力室の水圧が低下する。これにより、定差圧弁８ａの上流側の通路と圧力室との間に圧力差が生まれ、その圧力差でダイヤフラム８２がスプリング８４の付勢力に抗して図の上方へ変位することで弁体８３がその弁座８１からリフトされ、定差圧弁８ａは全開状態になって、給湯管６から供給された湯が、流量センサ７、定差圧弁８ａおよび逆止弁９，１０を通って浴槽１１に送られる。このとき、湯が定差圧弁８ａを通過するとき、その前後に差圧が生成され、その差圧が、大気開放弁１２のダイヤフラム１２ａが感知して、弁体１２ｂを弁閉の方向に付勢し、大気開放口を閉じている。
【００２７】
ここで、断水などにより、上水道の元圧が低下または負圧になると、それに伴って給湯管６側の一次圧力Ｐ１が低下するので、ダイヤフラム１２ａが図の上方へ変位して、弁体１２ｂを弁開の方向に移動させ、大気開放口を開放する。このような場合、もしも、逆止弁１０の逆止機能が不良になっていて、浴槽１１内の汚水がその水頭圧によって逆流してきたとしても、その汚水は、大気開放弁１２によって大気に放出されるので、給湯管６や給水管１の方まで汚水が逆流していくことはない。
【００２８】
図３は第２の実施の形態に係る逆流防止装置を適用した風呂給湯システムの構成例を示すシステム図である。なお、この図３において、図１に示した構成要素と同じまたは同等の構成要素については同じ符号を付してその詳細な説明は省略する。
【００２９】
この第２の実施の形態に係る逆流防止装置では、大気開放弁１２の一次圧力Ｐ１は、流量センサ７の上流側から取り、二次圧力Ｐ２を逆止弁９の上流側から取っている。この逆流防止装置の作用については、第１の実施の形態に係る逆流防止装置と同じであるので、説明は省略する。
【００３０】
図４は第３の実施の形態に係る逆流防止装置を適用した風呂給湯システムの構成例を示すシステム図である。なお、この図４において、図１に示した構成要素と同じまたは同等の構成要素については同じ符号を付してその詳細な説明は省略する。
【００３１】
この第３の実施の形態に係る逆流防止装置では、大気開放弁１２の一次圧力Ｐ１は、流量センサ７の下流側から取り、二次圧力Ｐ２を逆止弁９の下流側から取っている。この逆流防止装置の作用については、第１の実施の形態に係る逆流防止装置と同じであるので、説明は省略する。
【００３２】
図５は第４の実施の形態に係る逆流防止装置を適用した風呂給湯システムの構成例を示すシステム図である。なお、この図５において、図１に示した構成要素と同じまたは同等の構成要素については同じ符号を付してその詳細な説明は省略する。
【００３３】
この第４の実施の形態に係る逆流防止装置では、大気開放弁１２の一次圧力Ｐ１は、流量センサ７の下流側から取り、二次圧力Ｐ２を逆止弁９の上流側から取っている。この逆流防止装置の作用については、第１の実施の形態に係る逆流防止装置と同じであるので、説明は省略する。
【００３４】
図６は第５の実施の形態に係る逆流防止装置を適用した風呂給湯システムの構成例を示すシステム図である。なお、この図６において、図１に示した構成要素と同じまたは同等の構成要素については同じ符号を付してその詳細な説明は省略する。
【００３５】
この第５の実施の形態に係る逆流防止装置では、大気開放弁１２は、ダイヤフラム１２ａと仕切壁１２ｄとを有し、図の上側の部屋と、中間の部屋と、下側の部屋との３つの部屋に分けられている。上側の部屋には、一次圧力Ｐ１を受けるように流量センサ７の上流側の通路に連通され、中間の部屋は、浴槽１１の水の水頭圧に相当する二次圧力Ｐ３を受けるように逆止弁１０の下流側の通路に連通され、下側の部屋は、逆止弁９，１０の間の通路に連通されている。ダイヤフラム１２ａは、仕切壁１２ｄを貫通して配置された弁棒を介して弁体１２ｂに結合されており、その弁棒は仕切壁１２ｄとＯリングによりシールされ、かつ摺動自在になっている。なお、浴槽１１への通水時に、電磁弁８によって生成された差圧を大気開放弁１２の弁閉動作に利用する点は、第１ないし第４の実施の形態に係る逆流防止装置と同じである。
【００３６】
この風呂給湯システムにおいて、浴槽１１に湯張りを行う時には、電磁弁８を開けることにより、水比例弁５を出た湯が流量センサ７、電磁弁８、および逆止弁９，１０を介して風呂の浴槽１１へ供給される。このとき、大気開放弁１２には、上の部屋に一次圧力Ｐ１が導入され、中間の部屋には、逆止弁９，１０の通水時の圧力損失を無視するとすれば、電磁弁８の定差圧弁８ａによって減圧された二次圧力Ｐ３が導入されているので、ダイヤフラム１２ａは、弁体１２ｂを弁閉方向に付勢して大気開放口を閉塞している。
【００３７】
断水などが発生して給水管１内が負圧になったときには、一次圧力Ｐ１が二次圧力Ｐ３よりも低くなるので、大気開放弁１２は、ダイヤフラム１２ａが図の上方へ変位して大気開放口を開放し、逆流防止装置内にある水を逆止弁９および大気開放弁１２の下側の部屋を通って大気に放出する。
【００３８】
もし、浴槽１１が高所にあり、逆止弁１０の逆止機能が不良になっていた場合には、浴槽１１内の汚水がその水頭圧により逆止弁１０を介して逆流してくるが、その汚水は、給湯管６の方まで逆流することなく、大気開放弁１２により大気に放出されることになる。
【００３９】
図７は第６の実施の形態に係る逆流防止装置を適用した風呂給湯システムの構成例を示すシステム図である。なお、この図７において、図６に示した構成要素と同じまたは同等の構成要素については同じ符号を付してその詳細な説明は省略する。
【００４０】
この第６の実施の形態に係る逆流防止装置では、第５の実施の形態に係る逆流防止装置と比較して、大気開放弁１２の一次圧力Ｐ１を流量センサ７の上流側から取り、二次圧力Ｐ３を逆止弁１０の下流側から取っている点では同じであるが、大気開放弁１２の下側の部屋を逆止弁９の上流側に連通させている点で異なっている。この逆流防止装置の作用については、第５の実施の形態に係る逆流防止装置と同じであるので、説明は省略する。
【００４１】
図８は第７の実施の形態に係る逆流防止装置を適用した風呂給湯システムの構成例を示すシステム図である。なお、この図８において、図６に示した構成要素と同じまたは同等の構成要素については同じ符号を付してその詳細な説明は省略する。
【００４２】
この第７の実施の形態に係る逆流防止装置では、第５の実施の形態に係る逆流防止装置と比較して、二次圧力Ｐ３を逆止弁９の下流側から取っており、大気開放弁１２の下側の部屋を逆止弁９の上流側に連通させている点では同じであるが、大気開放弁１２の一次圧力Ｐ１を流量センサ７の下流側から取っている点で異なっている。この逆流防止装置の作用については、第５の実施の形態に係る逆流防止装置と同じであるので、説明は省略する。
【００４３】
図９は第８の実施の形態に係る逆流防止装置を適用した風呂給湯システムの構成例を示すシステム図である。なお、この図９において、図６に示した構成要素と同じまたは同等の構成要素については同じ符号を付してその詳細な説明は省略する。
【００４４】
この第４の実施の形態に係る逆流防止装置では、第５の実施の形態に係る逆流防止装置と比較して、二次圧力Ｐ３を逆止弁９の下流側から取っている点では同じであるが、大気開放弁１２の一次圧力Ｐ１を流量センサ７の下流側から取り、大気開放弁１２の下側の部屋を逆止弁９の上流側に連通させている点で異なっている。この逆流防止装置の作用については、第５の実施の形態に係る逆流防止装置と同じであるので、説明は省略する。
【００４５】
図１０は第９の実施の形態に係る逆流防止装置を適用した風呂給湯システムの構成例を示すシステム図である。なお、この図１０において、図１に示した構成要素と同じまたは同等の構成要素については同じ符号を付してその詳細な説明は省略する。
【００４６】
この第９の実施の形態に係る逆流防止装置では、電磁弁８として実質的に通水時の圧力損失がない通常のオン・オフ弁を使用し、この電磁弁８の下流側に配置された逆止弁９には、差圧制御の機能を持たせている。すなわち、逆止弁９は、その下流側の逆止弁１０と構造は同じであるが、弁体を弁閉方向に付勢しているスプリングのばね力を逆止弁１０のスプリングより大きくして、電磁弁８から供給される水の圧力が所定の水圧以上にならないと弁が開かないようにしている。これにより、通水しているときには、逆止弁９の前後に差圧を生成させ、その差圧を大気開放弁１２の動作に利用している。
【００４７】
この風呂給湯システムにおいて、浴槽１１に湯張りを行う時には、電磁弁８を開けることにより、水比例弁５を出た湯が流量センサ７、電磁弁８、および逆止弁９，１０を介して風呂の浴槽１１へ供給される。このとき、大気開放弁１２には、上の部屋に一次圧力Ｐ１が導入され、下の部屋には逆止弁９によって減圧された二次圧力Ｐ２が導入されているので、ダイヤフラム１２ａは、弁体１２ｂを弁閉方向に付勢して大気開放口を閉塞している。
【００４８】
断水などが発生して給水管１内が負圧になったときには、一次圧力Ｐ１が二次圧力Ｐ２よりも低くなるので、大気開放弁１２は、ダイヤフラム１２ａが図の上方へ変位することにより弁体１２ｂを弁開方向に駆動して、逆流防止装置内にある水を大気に放出する。
【００４９】
もし、浴槽１１が高所にあり、逆止弁１０がその機能を失っていた場合には、浴槽１１内の汚水がその水頭圧により逆止弁１０を介して逆流してくるが、その汚水は大気開放弁１２により大気に放出されるため、浴槽１１内の汚水が給湯管６の方まで逆流することはない。
【００５０】
図１１は第９の実施の形態に係る逆流防止装置の構成例を示す中央縦断面図である。この図１１において、図２および図１０に示した構成要素と同じまたは同等の構成要素については同じ符号を付してある。
【００５１】
この逆流防止装置は、流量センサ７、電磁弁８、逆止弁９，１０および大気開放弁１２を一体化して構成されている。
電磁弁８は、パイロット作動の電磁弁で、逆止弁９は、弁閉方向に付勢しているスプリング９ａをばね荷重の大きなものを使用している。
【００５２】
大気開放弁１２は、一次圧力Ｐ１を検圧通路１２ｃを介して流量センサ７の上流側から取り、二次圧力Ｐ２を差圧制御機能付きの逆止弁９の下流側から取っている。
【００５３】
このような逆流防止装置において、電磁弁８は、通電されていないときは閉じた状態にある。すなわち、パイロット弁がパイロットポートを閉じていることにより、主弁の圧力室にオリフィス８５を介して上流側の圧力が導入されていて、圧力室が主弁の上流側と同圧になっているため、主弁はその上流側の圧力によって閉じられ、浴槽１１への通路が閉塞されている。このとき、大気開放弁１２は、ダイヤフラム１２ａの図の上部の部屋に検圧通路１２ｃを介して一次圧力Ｐ１が導入されているため、ダイヤフラム１２ａは弁体１２ｂを弁閉の方向に付勢し、大気開放口を閉じている。
【００５４】
電磁弁８が通電されると、パイロット弁が開き、主弁の圧力室にある水がパイロットポートを介して主弁の下流側に流出することで圧力室の水圧が低下する。これにより、主弁の上流側の通路と圧力室とに圧力差が生まれ、その圧力差でダイヤフラム８２が図の上方へリフトされ、主弁は全開状態になる。これにより、給湯管６から供給された湯が、流量センサ７、電磁弁８および逆止弁９，１０を通って浴槽１１に送られる。このとき、湯が逆止弁９を通過するとき、その前後に差圧が生成され、その差圧が、大気開放弁１２のダイヤフラム１２ａが感知して、弁体１２ｂを弁閉の方向に付勢し、大気開放口を閉じている。
【００５５】
ここで、断水などにより、上水道の元圧が低下または負圧になると、それに伴って給湯管６側の一次圧力Ｐ１が低下するので、ダイヤフラム１２ａが図の上方へ変位して、弁体１２ｂを弁開の方向に移動させ、大気開放口を開放する。このような場合、もしも、逆止弁１０の逆止機能が不良になっていて、浴槽１１内の汚水がその水頭圧によって逆流してきたとしても、その汚水は、給湯管６や給水管１の方まで汚水が逆流することなく、大気開放弁１２によって大気に放出される。
【００５６】
図１２は第１０の実施の形態に係る逆流防止装置を適用した風呂給湯システムの構成例を示すシステム図である。なお、この図１２において、図１０に示した構成要素と同じまたは同等の構成要素については同じ符号を付してその詳細な説明は省略する。
【００５７】
この第１０の実施の形態に係る逆流防止装置は、第９の実施の形態に係る逆流防止装置と比較して、大気開放弁１２の一次圧力Ｐ１を流量センサ７の下流側から取っている点で異なっているが、作用については、同じであるので、説明は省略する。
【００５８】
【発明の効果】
以上説明したように、本発明では、電磁弁と第１の逆止弁との間を流れる水に対して圧力損失を生じさせる差圧生成手段を備える構成にした。これにより、給湯装置から浴槽への通水時に、差圧生成手段により生成した差圧で大気開放弁を閉塞状態に維持することができ、大気開放弁を開閉制御するのに必要な一次圧力を給水源から取るための検圧管が不要になるため、検圧管およびその取り付けコストを抑えることができる。
【００５９】
また、差圧生成手段としては、電磁弁に追加されるスプリングであったり、電磁弁側の第１の逆止弁が持っているスプリングのばね荷重を大きくすることで達成できるので、検圧管に比べてコストがかからない。
【００６０】
さらに、別途取り付けが必要な検圧管が不要になったことにより、給湯装置の制御に必要な流量センサも含めて電磁弁、第１および第２の逆止弁および大気開放弁を一体化できるので、さらにコストを低減することができる。
【図面の簡単な説明】
【図１】第１の実施の形態に係る逆流防止装置を適用した風呂給湯システムの構成例を示すシステム図である。
【図２】第１の実施の形態に係る逆流防止装置の構成例を示す中央縦断面図である。
【図３】第２の実施の形態に係る逆流防止装置を適用した風呂給湯システムの構成例を示すシステム図である。
【図４】第３の実施の形態に係る逆流防止装置を適用した風呂給湯システムの構成例を示すシステム図である。
【図５】第４の実施の形態に係る逆流防止装置を適用した風呂給湯システムの構成例を示すシステム図である。
【図６】第５の実施の形態に係る逆流防止装置を適用した風呂給湯システムの構成例を示すシステム図である。
【図７】第６の実施の形態に係る逆流防止装置を適用した風呂給湯システムの構成例を示すシステム図である。
【図８】第７の実施の形態に係る逆流防止装置を適用した風呂給湯システムの構成例を示すシステム図である。
【図９】第８の実施の形態に係る逆流防止装置を適用した風呂給湯システムの構成例を示すシステム図である。
【図１０】第９の実施の形態に係る逆流防止装置を適用した風呂給湯システムの構成例を示すシステム図である。
【図１１】第９の実施の形態に係る逆流防止装置の構成例を示す中央縦断面図である。
【図１２】第１０の実施の形態に係る逆流防止装置を適用した風呂給湯システムの構成例を示すシステム図である。
【符号の説明】
１  給水管
２  流量センサ
３  熱交換器
４  水バイパス弁
５  水比例弁
６  給湯管
７  流量センサ
７ａ  羽根車
７ｂ  感磁センサ
７ｃ  整流器
８  電磁弁
８ａ  定差圧弁
８ｂ  パイロット弁
８１  弁座
８２  ダイヤフラム
８３  弁体
８４  スプリング
８５  オリフィス
９  逆止弁
９ａ  スプリング
１０  逆止弁
１１  浴槽
１２  大気開放弁
１２ａ  ダイヤフラム
１２ｂ  弁体
１２ｃ  検圧通路
１２ｄ  仕切壁
１３  接続部
【図１】
2004190869.tif 000003
【図２】
2004190869.tif 000004
【図３】
2004190869.tif 000005
【図４】
2004190869.tif 000006
【図５】
2004190869.tif 000007
【図６】
2004190869.tif 000008
【図７】
2004190869.tif 000009
【図８】
2004190869.tif 000010
【図９】
2004190869.tif 000011
【図１０】
2004190869.tif 000012
【図１１】
2004190869.tif 000013
【図１２】
2004190869.tif 000014